(57)【要約】【課題】通信装置に対して、コンテンツ要約情報を配信するサイトのサイト情報の登録を容易に行うことができるサイト情報登録プログラムおよびこのサイト情報登録プログラムを実行するコンピュータを提供することを目的とする。【解決手段】コンテンツ提供サーバが公開しているＲＳＳサイトから、複合機がＲＳＳデータを取得するために、パソコンの記憶部に記憶されたＲＳＳサイトのＲＳＳサイト情報（少なくともＲＳＳサイトのＵＲＬを含む）を取得し（Ｓ１０６）、この取得したＲＳＳサイト情報を、複合機に登録する（Ｓ１２４）。【選択図】図３
2010231674.tif 000002
【特許請求の範囲】
【請求項１】
ネットワーク上に存在するコンテンツの位置情報と、前記コンテンツのタイトルと、を含むコンテンツ要約情報の取得に関し、前記コンテンツ要約情報を配信するサイトのサイト情報を、前記ネットワークに接続可能な通信装置に登録するコンピュータの制御部が読み取り可能なサイト情報登録プログラムであって、
前記制御部を、
前記コンピュータに登録されたサイト情報を取得するサイト情報取得手段と、
前記サイト情報取得手段によって取得されたサイト情報を、前記通信装置に登録する登録手段として機能させるためのサイト情報登録プログラム。
【請求項２】
前記コンテンツ要約情報は、前記コンテンツに関する記事情報と、前記記事情報が前記コンテンツ要約情報に追加された更新日時情報と、を対応付けて複数を含み、
前記コンピュータに複数の前記サイト情報が登録されている場合に、
前記制御部を、
前記コンピュータに登録された複数のサイト情報にしたがい前記コンピュータが複数の前記サイト各々から取得したコンテンツ要約情報に含まれる記事情報の更新頻度を、各記事情報の前記更新日時情報から、前記サイト毎に取得する更新頻度取得手段と、
前記サイト毎で比較した場合、前記更新頻度取得手段によって取得された更新頻度が高い上位所定の数の前記サイトを特定可能な特定手段と、
前記サイト情報取得手段によって取得され、前記特定手段によって特定されたサイトの前記サイト情報を、前記通信装置に登録する前記登録手段として機能させるための請求項１に記載のサイト情報登録プログラム。
【請求項３】
前記通信装置に前記サイト情報が登録されている場合に、
前記制御部を、
前記通信装置に登録されたサイト情報を取得する前記サイト情報取得手段と、
前記通信装置に登録されたサイト情報にしたがい前記通信装置が前記サイトから取得したコンテンツ要約情報に含まれる記事情報の更新頻度を、前記通信装置から、前記サイト毎に取得する前記更新頻度取得手段として機能させる請求項２に記載のサイト情報プログラム。
【請求項４】
前記コンテンツ要約情報は、前記コンテンツの位置情報と、前記コンテンツのタイトルと、前記コンテンツに関する記事情報と、を対応付けて含み、
前記コンピュータに複数の前記サイト情報が登録されている場合に、
前記制御部を、
前記コンピュータが各サイト情報にしたがい取得したコンテンツ要約情報に含まれていた前記記事情報の総数に対し、前記記事情報に対応付けられた前記コンテンツ位置情報にしたがい前記コンテンツにアクセスしたアクセス数の割合である既読率を、前記サイト毎に取得する既読率取得手段と、
前記サイト毎で比較した場合、前記既読率取得手段によって取得された既読率が高い上位所定の数の前記サイトを特定可能な特定手段と、
前記サイト情報取得手段によって取得され、前記特定手段によって特定されたサイトの前記サイト情報を、前記通信装置に登録する前記登録手段として機能させるための請求項１に記載のサイト情報登録プログラム。
【請求項５】
前記通信装置に前記サイト情報が登録されている場合に、
前記制御部を、
前記通信装置に登録されたサイト情報を取得する前記サイト情報取得手段と、
前記通信装置に登録されたサイト情報のサイトの前記既読率を、前記通信装置から、前記サイト毎に取得する前記既読率取得手段として機能させる請求項４に記載のサイト情報プログラム。
【請求項６】
前記制御部を、
前記通信装置に登録可能なサイト情報数を取得するサイト情報数取得手段と、
前記サイト情報数取得手段によって取得された前記サイト情報数に一致する数の前記サイト情報を、前記通信装置に登録する前記登録手段として機能させるための請求項１に記載のサイト情報登録プログラム。
【請求項７】
請求項１から請求項６のいずれか１項に記載のサイト情報登録プログラムを記憶した記憶部と、
前記記憶部から前記サイト情報登録プログラムを読み取り、前記読み取ったサイト情報登録プログラムを実行する制御部と、を備えたことを特徴とするコンピュータ。
【発明の詳細な説明】
【技術分野】
【０００１】
本発明は、ネットワーク上に存在するコンテンツの位置情報と、コンテンツのタイトルと、を含むコンテンツ要約情報の取得に関する設定に係るものである。
【背景技術】
【０００２】
ネットワークを介して多くのデータ（情報）が提供され、ユーザは各種情報を取得することができる。そして、このような状況に対応すべく、ネットワークを介したデータの取得に関する技術が多く提案されている。例えば、ＲＳＳ（Resource Description Framework Site Summary）形式のデータのテレビジョン受像機、パーソナルコンピュータ（以下、「パソコン」という。）での表示に関する技術が提案されている。ここで、ＲＳＳは、タイトル（見出し）やハイパーリンク、画像、本文などをＸＭＬ（eXtensible Markup Language）で記述し、Ｗｅｂサイトに掲載される元の情報の概要を表すものとして用いられるデータ形式である（例えば、特許文献１参照）。
【先行技術文献】
【特許文献】
【０００３】
【特許文献１】特開２００８−１６５６９２号公報
【発明の概要】
【発明が解決しようとする課題】
【０００４】
ところで、例えば、上記ＲＳＳ形式のデータのごとく、タイトル（見出し）およびハイパーリンクを含むコンテンツ要約情報を、ネットワークを介して取得するためには、ネットワークに接続され、コンテンツ要約情報を取得する通信装置に対し、所定の設定を行う必要がある。
【０００５】
本発明は、通信装置に対して、コンテンツ要約情報を配信するサイトのサイト情報の登録を容易に行うことができるサイト情報登録プログラムおよびこのサイト情報登録プログラムを実行するコンピュータを提供することを目的とする。
【課題を解決するための手段】
【０００６】
上記課題に鑑みなされた本発明は、ネットワーク上に存在するコンテンツの位置情報と、コンテンツのタイトルと、を含むコンテンツ要約情報を配信するサイトのサイト情報が登録されたコンピュータから、登録済のサイト情報を取得し、取得したサイト情報を通信装置に登録することとしたものである。
【０００７】
本発明の請求項１に係る発明によれば、このサイト情報登録プログラムを実行する制御部を備えるコンピュータからサイト情報を取得し、取得したサイト情報を通信装置に登録することができる。ここで、ネットワークはインターネットを含み、また、イントラネットを含む。
【０００８】
請求項２に係る発明によれば、コンピュータにおいて取得されているコンテンツ要約情報に関し、コンテンツ要約情報に含まれる記事情報の更新頻度が高い上位所定の数のサイトのサイト情報を通信装置に登録することができる。
【０００９】
請求項３に係る発明によれば、コンピュータおよび通信装置において取得されているコンテンツ要約情報に関し、コンテンツ要約情報に含まれる記事情報の更新頻度が高い上位所定の数のサイトのサイト情報を通信装置に登録することができる。
【００１０】
請求項４に係る発明によれば、コンピュータにおいて取得されているコンテンツ要約情報に関し、既読率の高いコンテンツ要約情報を配信している上位所定の数のサイトのサイト情報を通信装置に登録することができる。
【００１１】
請求項５に係る発明によれば、コンピュータおよび通信装置において取得されているコンテンツ要約情報に関し、既読率の高いコンテンツ要約情報を配信している上位所定の数のサイトのサイト情報を通信装置に登録することができる。
【００１２】
請求項６に係る発明によれば、通信装置に登録可能な数のサイト情報を、通信装置に登録することができる。
【００１３】
請求項７に係る発明によれば、これによれば、上記特有の機能を実現可能なコンピュータとすることができる。
【発明の効果】
【００１４】
本発明によれば、通信装置に対して、コンテンツ要約情報を配信するサイトのサイト情報の登録を容易に行うことができるサイト情報登録プログラムおよびこのサイト情報登録プログラムを実行するコンピュータを得ることができる。
【図面の簡単な説明】
【００１５】
【図１】システムの概要とシステムを構成するパソコンおよび複合機の機能ブロックとを示す図
【図２】ＲＳＳデータの形式を説明する図
【図３】第１処理形態に基づくＲＳＳサイト情報登録処理の処理フローを示す図
【図４】ＲＳＳリーダ一覧画面を示す図
【図５】全サイト更新頻度取得処理の処理フローを示す図
【図６】更新頻度取得処理の処理フローを示す図
【図７】第２処理形態に基づくＲＳＳサイト情報登録処理の処理フローを示す図
【図８】複合機メイン処理の処理フローを示す図
【図９】記事情報表示処理の処理フローを示す図
【図１０】ＲＳＳデータ取得処理の処理フローを示す図
【図１１】既読率更新処理の処理フローを示す図
【発明を実施するための形態】
【００１６】
本発明を反映した上記課題解決手段を実施するための実施形態について、図面を用いて以下に詳細に説明する。上記課題解決手段は、以下に記載の構成に限定されるものではなく、同一の技術的思想において種々の構成を採用することができる。例えば、以下に説明する各構成において、所定の構成を省略可能で、また、各処理において、所定の処理ステップを省略することができる。
【００１７】
（システムの構成）
印刷システム１０について、図１を参照して説明する。印刷システム１０は、パソコン１００と、複合機２００と、その他図１には描画していないネットワーク装置とを含み、各装置はＬＡＮ（Local Area Network）８００を介して通信可能に接続されている。複合機２００は、例えば、パソコン１００から送信される印刷データを受信し、これに対する印刷処理を実行する。また、複合機２００は、パソコン１００からのスキャン要求に基づいたスキャン処理の実行により生成したスキャンデータを、ＬＡＮ８００を介して、パソコン１００に送信する。なお、複合機２００は、スキャンデータの他、例えば、インターネット８４０に存在しているデータであって、自身が取得した各種データをパソコン１００に送信することができる。
【００１８】
また、ＬＡＮ８００は、ルータ８２０を介してインターネット８４０に接続されている。インターネット８４０には、コンテンツ提供サーバ８６０，８８０や他のサーバが存在している。パソコン１００および複合機２００は、ＬＡＮ８００とルータ８２０とを介してインターネット８４０に通信可能に接続されている。
【００１９】
ここで、コンテンツ提供サーバ８６０が所定のサイトを公開しており、コンテンツ提供サーバ８８０が他の所定のサイトを公開している。各サイトは、複数のコンテンツを含んでいる。さらに、各コンテンツ提供サーバ８６０，８８０は、サイトに含まれる複数のコンテンツの要約情報（フィード情報）を記憶し、これを要求元のＲＳＳデバイス（例えば、パソコン１００，複合機２００）に対して配信する。
【００２０】
なお、以下では、コンテンツ要約情報をＲＳＳ（Rich Site Summary）形式の情報（以下、「ＲＳＳデータ」という。）を例に説明する。また、コンテンツ提供サーバ８６０，８８０は、公開しているサイトについて、ＲＳＳデータを配信するＲＳＳサイトを公開していることとし、説明する。
【００２１】
先ず、パソコン１００の構成について説明する。パソコン１００は、自装置の制御を司る制御部１１０と、記憶部１２０とを備える。また、パソコン１００は、モニタ１３０と、キーボードまたはマウスにより構成される操作部１４０と、ＬＡＮ８００に接続されるネットワークＩ／Ｆ１５０とを備える。
【００２２】
制御部１１０は、演算処理を実行するＣＰＵと、各種プログラムを記憶するＲＯＭと、作業領域としてのＲＡＭとにより構成される。記憶部１２０は、例えばハードディスクによって構成される。記憶部１２０には、ＯＳ（Operating System）１２０２、複合機２００に対してＲＳＳサイト情報を登録するためのＲＳＳサイト情報登録プログラム１２０４等が記憶されている。また、記憶部１２０には、コンテンツ提供サーバ８６０，８８０から各ＲＳＳデータ１２１０を取得するためのＲＳＳリーダプログラム（以下、「ＲＳＳリーダ」という。）１２０６が記憶されている。ここで、ＲＳＳリーダ１２０６には、ＲＳＳデータを取得するための設定としてＲＳＳサイトのＲＳＳサイト情報（ＲＳＳサイトのタイトル３０００およびＲＳＳサイトのＵＲＬ）１２０８を複数登録することができる。
【００２３】
さらに、記憶部１２０には、ＲＳＳデータ１２１０が記憶されている。なお、記憶部１２０には、その他、複合機２００の印刷部２３０を制御するプリンタドライバおよびスキャナ部２４０を制御するスキャナドライバ等のドライバプログラム（図１で図示を省略）も記憶されている。
【００２４】
制御部１１０を構成するＣＰＵが、ＲＡＭ上でＲＯＭに記憶されるプログラムおよび記憶部１２０に記憶される各プログラム１２０２，１２０４，１２０６を実行することで、各種処理が実行される。例えば、ＲＳＳサイト情報登録プログラム１２０４により、ＲＳＳサイト情報登録処理（図３および図７参照）が実行される。さらに、ＲＳＳリーダ１２０６により、コンテンツ提供サーバ８６０，８８０が公開するサイトのＲＳＳデータが取得される。なお、取得されたＲＳＳデータは、ＲＳＳリーダ１２０６に登録されるとともに、ＲＳＳデータ１２１０として記憶部１２０に記憶される。ＣＰＵは、これら処理を実行するためＲＡＭ上のデータにアクセスする。したがって、ＣＰＵがＲＯＭおよび記憶部２２０に記憶される各種プログラムをＲＡＭ上で実行することで、各種処理が実行され、これによって各種機能手段が構成される。
【００２５】
次に、複合機２００は、自装置の制御を司る制御部２１０と、各種データを記憶する記憶部２２０とを備える。また、複合機２００は、印刷部２３０と、スキャナ部２４０とを備える。さらに、複合機２００は、各種情報を表示するモニタ２６０と、複合機２００へのデータ（指令）入力のインターフェースとしての機能を果たす操作部２７０と、ＬＡＮ８００に接続されるネットワークＩ／Ｆ２８０とを備える。
【００２６】
制御部２１０は、演算処理を実行するＣＰＵと、各種プログラムを記憶するＲＯＭと、作業領域としてのＲＡＭとにより構成される。記憶部２２０は、例えば、不揮発性のメモリ（例えば、ＥＥＰＲＯＭ）またはハードディスクによって構成される。記憶部２２０には、例えば、複合機メイン処理（図８参照）のための複合機メイン処理プログラム２２０２が記憶されている。また、記憶部２２０には、ＲＳＳデータ２２０８が記憶されている。
【００２７】
複合機メイン処理プログラム２２０２は、例えばパソコン１００の記憶部１２０に記憶されたＲＳＳリーダ１２０６と同様の機能を実現するために利用されるＲＳＳモジュール２２０４を含む。ここで、ＲＳＳモジュール２２０４には、各種情報が登録される。また、各ＲＳＳサイトでの記事の更新頻度（Ｚ）が登録されている。ＲＳＳモジュール２２０４には、取得したＲＳＳデータ２２０８に含まれる記事情報３５００（図２参照）の既読率（Ｋ）（詳細は後述参照）が各ＲＳＳサイトに対応付けて登録されている。ＲＳＳモジュール２２０４には、各ＲＳＳサイトからのＲＳＳデータ２２０８に含まれる記事情報３５００の数（取得記事数（Ｓｎ））と、既読記事数（Ｋｎ）とが各ＲＳＳサイトに対応付けて登録されている。
【００２８】
また、複合機メイン処理プログラム２２０２には、ＲＳＳサイト情報（ＲＳＳサイトのタイトル３０００およびＲＳＳサイトのＵＲＬ）２２０６が登録されている。複合機メイン処理プログラム２２０２に登録可能なＲＳＳサイト情報２２０６の数には、上限が設けられている。例えば、最大１０個のＲＳＳサイト情報２２０６が登録できる。
【００２９】
制御部２１０を構成するＣＰＵが、ＲＡＭ上でＲＯＭに記憶されるプログラムおよび記憶部２２０に記憶される複合機メイン処理プログラム２２０２を実行することで、各種処理が実行される。例えば、ＲＯＭに記憶されるプログラムにより、ネットワークＩ／Ｆ２８０が受信した印刷データに対して印刷処理が実行される。また、複合機メイン処理プログラム２２０２により、複合機メイン処理（図８参照）が実行される。さらに、複合機メイン処理プログラム２２０２により、ＲＳＳサイト情報２２０６に基づき、コンテンツ提供サーバ８６０，８８０が公開する各サイトからＲＳＳデータが取得される。なお、取得されたＲＳＳデータは、複合機メイン処理プログラムのＲＳＳモジュール２２０４に登録されるとともに、ＲＳＳデータ２２０８として記憶部２２０に記憶される。ＣＰＵは、これら処理を実行するためＲＡＭ上のデータにアクセスする。したがって、ＣＰＵがＲＯＭおよび記憶部２２０に記憶される各種プログラムをＲＡＭ上で実行することで、各種処理が実行され、これによって各種機能手段が構成される。
【００３０】
（ＲＳＳデータ）
パソコン１００および複合機２００が取得し、記憶するＲＳＳデータ１２１０，２２０８の形式について、図２に示すＲＳＳデータを例に説明する。ＲＳＳデータ１２１０，２２０８は、記述項目として、ＲＳＳサイト（コンテンツの大タイトルも兼ねる）のタイトル３０００（Ｆさんのブログ）と、コンテンツ提供サーバ８６０、８８０のＵＲＬ（Uniform Resource Locator／位置情報）３０５０（http://abcdefg.jp/diary/）と、各コンテンツ３１００Ａ，３１００Ｂ，３１００Ｃに関する諸情報とを含む。
【００３１】
例えば、ＲＳＳデータ１２１０，２２０８は、itemタグ３２００Ａ，３７００Ａ内に記述されているコンテンツ３１００Ａ（20090217.html）について、タイトル３３００Ａ（寒いですね。）と、ＵＲＬ３４００Ａ（http://abcdefg.jp/diary/20090217.html）と、記事情報３５００Ａ（今日は本当に寒いですね・・・）と、更新日時情報３６００Ａ（２００９年２月１７日１４時１１分２２秒）とを含む。
【００３２】
（印刷システム内で実行される各処理）
次に、パソコン１００の制御部１１０によって実現される処理（第１処理形態および第２処理形態）について図３〜図７を参照し説明する。また、複合機２００の制御部２１０によって実現される処理について、図８〜図１１を参照して説明する。
【００３３】
（ＲＳＳサイト情報登録処理）
この処理は、パソコン１００側において実行される処理であり、複合機２００に対してＲＳＳサイト情報を登録するための処理である。例えば、ユーザが操作部１４０を介してＲＳＳサイト情報登録プログラム１２０４の実行を指示し、これを制御部１１０が取得した場合に開始される。
【００３４】
（第１処理形態）
第１の処理形態について、図３〜図６を参照して説明する。この処理を開始した制御部１１０は、自装置（パソコン１００／図３において「ＰＣ」と記載）の記憶部１２０にＲＳＳリーダ１２０６がインストール（install／導入）されているかを確認する処理を実行し（Ｓ１００）、ＲＳＳリーダ１２０６がインストールされているか否かを判断する（Ｓ１０２）。Ｓ１００では、ＯＳ１２０２が備える各設定等を登録したデータベース（マイクロソフト社製のウィンドウズ（登録商標）において「レジストリ」がこれに相当する。）にアクセスし、この確認のための処理を実行する。
【００３５】
Ｓ１０２の判断の結果、インストールされていない場合（Ｓ１０２：Ｎｏ）、このＲＳＳサイト情報登録処理を終了する。これに対し、ＲＳＳリーダ１２０６が登録されている場合（Ｓ１０２：Ｙｅｓ）、例えば、図２に示す態様でインストールされているＲＳＳリーダ１２０６の一覧をモニタ１３０に表示する（Ｓ１０４）。
【００３６】
ＲＳＳリーダ一覧１３２０は、インストールされていたＲＳＳリーダ名を表示するＲＳＳリーダ名表示領域１３４０と、各ＲＳＳリーダに対応付けられたチェックボックス１３６０と、入力インターフェースであるＯＫボタン１３８０と、キャンセルボタン１３９０とを含む。図４に示すＲＳＳリーダ一覧１３２０では、「ＲＳＳリーダＡＡＡ」のチェックボックス１３６０にチェックが入力されており、「ＲＳＳリーダＡＡＡ」が選択されている。
【００３７】
ユーザにより、操作部１４０を操作し、キャンセルボタン１３９０が押下された場合、制御部１１０は、この処理を終了する（この点に関し、図３で図示を省略）。これに対し、チェックボックス１３４０にチェックが入力された状態で、ＯＫボタン１３８０が押下された場合、処理をＳ１０６に移行する。
【００３８】
Ｓ１０６では、Ｓ１０４で選択されたＲＳＳリーダ１２０６（以下、「選択済ＲＳＳリーダ１２０６」ともいう。）、換言すれば、ＯＫボタン１３８０押下時に、チェックボックス１３４０にチェックが入力されていたＲＳＳリーダ１２０６に登録されている全てのＲＳＳサイトのＲＳＳサイト情報１２０８を含む情報を取得する。具体的には、ＲＳＳサイトのタイトル３０００（図２参照）と、ＲＳＳサイトのＵＲＬとを全て取得する。また、ＲＳＳリーダ１２０６に登録され、かつ記憶部２２０に記憶された全てのＲＳＳデータ１２１０各々に含まれる各記事情報３５００Ａ，３５００Ｂ，３５００Ｃ，・・・（図２参照／以下、単に「記事情報３５００」ともいう。）の更新日時情報３６００Ａ，３６００Ｂ，３６００Ｃ，・・・（図２参照／以下、単に「更新日時情報３６００」ともいう。）を、対応するＲＳＳサイトのタイトル３０００およびＲＳＳサイトのＵＲＬ（ＲＳＳサイト情報１２０８）に関連付けて取得する。
【００３９】
続けて、選択済ＲＳＳリーダ１２０６から、上記３つの情報全てが取得できたか否かを判断する（Ｓ１０８）。取得できた場合（Ｓ１０８：Ｙｅｓ）、処理をＳ１１４に移行する一方、取得できない場合（Ｓ１０８：Ｎｏ）、処理をＳ１１０に移行する。なお、Ｓ１０６において、複数のＲＳＳサイトのＵＲＬが取得されていた場合、複数のＲＳＳサイトのＵＲＬの全てについて、対応するＲＳＳサイトのタイトル３０００および更新日時情報３６００が取得できなければ、Ｓ１０８の判断を否定する（Ｓ１０８：Ｎｏ）。
【００４０】
Ｓ１１０では、Ｓ１０６で３つの情報全てを取得することに失敗したＲＳＳサイトについて、特にＲＳＳサイトのＵＲＬは取得できたか否かを判断する。例えば、ＲＳＳサイトのタイトル３０００および各記事情報３５００の更新日時情報３６００Ａの取得に関わらず、ＲＳＳサイトのＵＲＬが取得できていない場合、Ｓ１１０の判断を否定する（Ｓ１１０：Ｎｏ）。これに対し、ＲＳＳサイトのＵＲＬが取得できている場合、Ｓ１１０の判断を肯定する（Ｓ１１０：Ｙｅｓ）。
【００４１】
制御部１１０は、ＲＳＳサイトのＵＲＬを取得できていないと判断した場合（Ｓ１１０：Ｎｏ）、この処理を終了する。これに対し、ＲＳＳサイトのＵＲＬを取得できていると判断した場合（Ｓ１１０：Ｙｅｓ）、取得できたＲＳＳサイトのＵＲＬにしたがい、インターネット８４０上のコンテンツ提供サーバ８６０，８８０によって公開されているＲＳＳサイトにアクセスする。
【００４２】
そして、Ｓ１０６で取得に失敗したＲＳＳサイトのタイトル３０００および／または各記事情報３５００の更新日時情報３６００を取得する（Ｓ１１２）。Ｓ１１２を実行後、処理をＳ１１４に移行する。ここで、Ｓ１１２の構成によれば、ＲＳＳサイトのタイトル３０００および／または更新日時情報３６００取得に失敗したとしても、これらを取得することができる。なお、Ｓ１０６において複数のＲＳＳサイトのＵＲＬが取得されていた場合、制御部１１０は、Ｓ１０６でＲＳＳサイトのタイトル３０００等の取得に失敗したＲＳＳサイトのＵＲＬ各々に対し、Ｓ１１２の処理を実行する。
【００４３】
Ｓ１１４では、後述する全サイト更新頻度取得処理を実行する。Ｓ１１４を実行した後に処理をＳ１１６に移行する。Ｓ１１６では、ネットワークＩ／Ｆ１５０を制御し、ＬＡＮ８００を介して複合機２００にアクセスし、複合機２００に対し、複合機２００に追加登録可能なＲＳＳサイト情報２２０６の数、換言すれば、空き登録数（Ｎ個）を要求する。また、複合機２００に登録されるＲＳＳサイト情報２２０６の中で、過去に実行された、このＲＳＳサイト情報登録処理によって登録（自動登録）されたＲＳＳサイト情報２２０６の数（Ｍ個）を要求する。また、複合機２００に登録されている全ＲＳＳサイト情報２２０６の各ＲＳＳサイトのＵＲＬを要求する。ＲＳＳサイト情報２２０６に対応する各ＲＳＳサイトのＲＳＳデータ２２０８についての更新頻度（Ｚ）を要求する。さらに、各ＲＳＳサイト情報２２０６が自動登録されたものであるか否かを示すフラグを要求する。
【００４４】
Ｓ１１８では、Ｓ１１６で上記所定の各情報を取得することができたか否かを判断する。取得できていない場合（Ｓ１１８：Ｎｏ）、この処理を終了する。これに対し、取得できていた場合（Ｓ１１８：Ｙｅｓ）、Ｓ１０６（Ｓ１１２）で選択済ＲＳＳリーダ１２０６から取得したＲＳＳサイトのＵＲＬの中で、複合機２００の記憶部２２０に記憶されていないＲＳＳサイトのＵＲＬを特定する（Ｓ１２０）。
【００４５】
Ｓ１２２で制御部１１０は、Ｓ１２０で特定したＲＳＳサイトのＵＲＬに対応する各ＲＳＳサイトの更新頻度（Ｚ）、および、Ｓ１１６で複合機２００から取得したＲＳＳのＵＲＬ（自動登録されたことを示すフラグがＯＮにされたＲＳＳサイト情報に含まれるＲＳＳサイトのＵＲＬ）に対応する各ＲＳＳサイトの更新頻度（Ｚ）に基づき、更新頻度が高い順に、「Ｎ＋Ｍ」個のＲＳＳサイトを抽出する。
【００４６】
Ｓ１２４では、Ｓ１２２で抽出した「Ｎ＋Ｍ」個のＲＳＳサイト各々に対応するＲＳＳサイト情報を、複合機２００に登録する。この際、この処理に基づき自動登録されたＲＳＳサイト情報であることを示すフラグをＯＮとした状態で、Ｓ１２２で抽出されたＲＳＳサイト情報が登録される。
【００４７】
具体的に、制御部１１０は、ネットワークＩ／Ｆ１５０を制御し、ＲＳＳサイト情報の登録命令と、Ｓ１２２で抽出されたＲＳＳサイト情報とをＬＡＮ８００を介して複合機２００に送信する。なお、これを受信した複合機２００側で処理の詳細については、後述する複合機メイン処理（図８参照）で説明する。Ｓ１２４を実行後、制御部１１０は、この処理を終了する。
【００４８】
（全サイト更新頻度取得処理）
図３に示す第１処理形態に係るＲＳＳサイト情報登録処理のＳ１１４で実行される全サイト更新頻度取得処理について、図５を参照して説明する。この処理を開始した制御部１１０は、先ず、図３のＳ１０６でＲＳＳサイトのＵＲＬを取得することができたＲＳＳサイト全てについて、更新頻度を計算したか否かを判断する（Ｓ２００）。
【００４９】
全てのＲＳＳサイトについて更新頻度を計算した場合（Ｓ２００：Ｙｅｓ）、この処理を終了し、処理を図３のＳ１１６に移行する。これに対し、全てのＲＳＳサイトについて更新頻度を計算していない場合（Ｓ２００：Ｎｏ）、更新頻度が計算されていないＲＳＳサイトを１つ選択する（Ｓ２０２）。そして、選択したＲＳＳサイトについて、後述する更新頻度取得処理を実行する（Ｓ２０４）。
【００５０】
Ｓ２０４を実行後、処理をＳ２００に戻し、再度、Ｓ２００の判断を実行する。すなわち、図３のＳ１０６でＲＳＳサイトのＵＲＬを取得することができたＲＳＳサイト全てについて、更新頻度を計算したと判断されるまで（Ｓ２００：Ｙｅｓ）、上述したＳ２００〜Ｓ２０４を繰り返し実行する。
【００５１】
（更新頻度取得処理）
図５に示す全サイト更新頻度取得処理のＳ２０４で実行される更新頻度取得処理について、図６を参照して説明する。この処理を開始した制御部１１０は、この処理で利用する変数を初期化する（Ｓ３００）。具体的に、記事インデックス（index）（Ｘ）を「０」とし、更新時間（Ｙ）の総和を「０」とし、更新頻度（Ｚ）を「−１」とする。
【００５２】
ここで、記事インデックス（Ｘ）は、記事情報３５００各々を付与されたインデックスである。具体的には、図５に示す全サイト更新頻度処理のＳ２０２で選択されたＲＳＳサイトに関連付けられて、図３のＲＳＳサイト情報登録処理のＳ１０６で取得された更新日時情報３６００各々（図３のＳ１１２で取得した場合については、Ｓ１１２で取得した更新日時情報３６００を含む）によって示されるタイミングで更新された記事情報３５００各々を付与されたインデックスである。
【００５３】
「Ｘ＝０」は、全サイト更新頻度処理のＳ２０２（図５参照）で選択されたＲＳＳサイトから取得した最新のＲＳＳデータ１２１０に含まれる、最新の更新日時情報３６００Ａ（最新の記事情報３５００Ａの更新日時を示す情報／図２に基づく）によって示されるタイミングで更新された記事情報３５００Ａに付与される。そして、以下、更新日時情報３６００が新しい記事情報３５００から順に、記事インデックス（Ｘ）が「Ｘ＝１，２，３，・・・」として付与される。
【００５４】
続けて、制御部１１０は、図３のＳ１０６で取得した更新日時情報３６００（図３のＳ１１２で取得した場合については、Ｓ１１２で取得した更新日時情報３６００を含む）によって示されるタイミングで更新された記事情報３５００の総数（Ｎ）（以下、記事情報３５００の総数について「総記事情報数」ともいう。）が「０」であるか否かを判断する（Ｓ３０２）。ここで、総記事情報数（Ｎ）は、図３のＳ１０６等で取得した更新日時情報３６００の総数に等しく、制御部１１０は、Ｓ３０２で更新日時情報３６００の総数を総記事情報数（Ｎ）とする。
【００５５】
記事情報３５００の総数が「０」である場合（Ｓ３０２：Ｙｅｓ）、この処理を終了する。なお、この場合、更新頻度は「−１」に設定される。これに対し、記事情報３５００Ａの総数が、「０」でない場合（Ｓ３０２：Ｎｏ）、パソコン１００が備える計時手段（図１で図示を省略）から、現在時刻を取得する。そして、全サイト更新頻度処理のＳ２０２（図５参照）で選択されたＲＳＳサイトから取得した最新のＲＳＳデータ１２１０に含まれる更新日時情報３６００Ａ（最新の記事情報３５００Ａの更新日時を示す情報／図２に基づく）と、現在時刻とを比較し、この記事情報３５００Ａについての更新間隔を算出し、算出された値をデフォルトの更新間隔の総和（Ｙ）とする（Ｓ３０４）。
【００５６】
Ｓ３０６では、記事インデックス（Ｘ）に「１」を加算した数（Ｘ＋１）と、総記事情報数（Ｎ）とを比較し、「Ｘ＋１」が総記事情報数（Ｎ）より大きいか否かを判断する（Ｓ３０６）。なお、Ｓ３０６の処理が初めて実行される場合、「Ｘ＝０」であるため（Ｓ３００参照）、「Ｘ＋１」は「１」である。
【００５７】
判断の結果、「Ｘ＋１」が総記事情報数（Ｎ）より大きい場合（Ｓ３０６：Ｙｅｓ）、処理をＳ３１４に移行する。これに対し、「Ｘ＋１」が総記事情報数（Ｎ）以下である場合（Ｓ３０６：Ｎｏ）、処理をＳ３０８に移行する。なお、Ｓ３０６の判断が肯定される場合（Ｓ３０６：Ｙｅｓ）についての詳細は、後述する。
【００５８】
Ｓ３０８では、Ｓ３０８実行時点での記事インデックス（Ｘ）が付与された記事情報３５００と（このＳ３０８が初めて実行される場合、「Ｘ＝０」（Ｓ３００参照）である。）、記事インデックス（Ｘ＋１）が付与された記事情報３５００との更新間隔（Ｙｘ，ｘ＋１）を算出する処理を実行する。図２に示すＲＳＳデータ１２１０に基づき説明すると、記事情報３５００Ａ（記事インデックス（Ｘ））と記事情報３５００Ｂ（記事インデックス（Ｘ＋１）との各更新日時情報３６００Ａ，３６００Ｂから、更新間隔（Ｙｘ,ｘ＋１）を求める。この場合、更新間隔（Ｙｘ,ｘ＋１）「１時間１０分５３秒」を算出する。
【００５９】
Ｓ３１０では、Ｓ３０８で算出した更新間隔（Ｙｘ,ｘ＋１）を、更新間隔の総和（Ｙ）に加算し、加算後の値を新たな更新間隔の総和（Ｙ）とする。例えば、Ｓ３１０の処理が初めて実行される場合、制御部１１０は、Ｓ３０４で算出したデフォルトの更新間隔の総和（Ｙ）に、Ｓ３０８で算出された記事インデックス（０）と記事インデックス（１）との更新間隔を加算し、加算後の値を新たな更新間隔（Ｙ）とする。また、Ｓ３１０が２回目以降の場合、先に実行されたＳ３１０で算出された更新間隔の総和（Ｙ）に対し、Ｓ３１０の実行直前に実行されたＳ３０８で算出された更新間隔（Ｙｘ,ｘ＋１）を加算し、加算後の値を新たな更新間隔（Ｙ）とする。Ｓ３１２では、Ｓ３１２実行時点での記事インデックス（Ｘ）に「１」を加算し、加算後の値を新たな記事インデックス（Ｘ）とする。そして、処理をＳ３０６に戻す。
【００６０】
Ｓ３０６では、再度、上述した判断を実行する。Ｓ３０６が否定される都度（Ｓ３０６：Ｎｏ）、処理をＳ３０８に移行し、Ｓ３１０およびＳ３１２を順次実行する。そして、全サイト更新頻度処理のＳ２０２（図５参照）で選択されたＲＳＳサイトから取得したＲＳＳデータ１２１０であって、最も過去に取得したＲＳＳデータ１２１０に含まれる最も過去の更新日時情報３６００（図２に基づけば更新日時情報３６００Ｃ）の記事情報３５００（図２に基づけば記事情報３５００Ｃ）に付された記事インデックス（Ｘ）、具体的には、記事インデックス（Ｎ）が、Ｓ３１２で設定された場合、制御部１１０は、「Ｎ＋１＞Ｎ」であるとして、Ｓ３０６の判断を肯定する（Ｓ３０６：Ｙｅｓ）。
【００６１】
Ｓ３１４では、Ｓ３０２で設定（取得）した総記事情報数（Ｎ）を、更新間隔の総和（Ｙ）で除して更新頻度（Ｚ）を求める処理を実行する。なお、Ｓ３１４で算出される更新頻度（Ｚ）は、全サイト更新頻度処理のＳ２０２（図５参照）で選択されたＲＳＳサイトの更新頻度（Ｚ）として特定される。そして、制御部１１０は、この処理を終了し、処理を、図５のＳ２００に戻す。
【００６２】
（第２処理形態）
第２処理形態について、図７を参照して説明する。なお、以下の説明において、図３に示す第１処理形態の処理と同一（同様）の処理については、図３に付したステップ番号と同一のステップ番号を付し、その処理の詳細を省略する。この処理を開始した制御部１１０は、図３と同様、Ｓ１００，Ｓ１０２を実行する。ただし、後述するＳ４０６で取得する各情報を登録（記憶）しているＲＳＳリーダ１２０６がインストールされているかを確認する点が図３とは異なる。
【００６３】
そして、Ｓ１０２の判断が肯定される場合（Ｓ１０２：Ｙｅｓ）、Ｓ１０４を実行し、処理をＳ４０６に移行する。Ｓ４０６では、Ｓ１０４でモニタ１３０に表示されたＲＳＳリーダ一覧１３２０に基づき選択されたＲＳＳリーダ１２０６（選択済ＲＳＳリーダ１２０６）に登録されている全てのＲＳＳサイトのタイトル３０００（図２参照）と、ＲＳＳサイトのＵＲＬ（ＲＳＳサイト情報１２０８）とをＳ１０６と同様に取得する。また、ＲＳＳリーダ１２０６に登録され、かつ記憶部２２０に記憶された全てのＲＳＳデータ１２１０各々に含まれる記事情報３５００の数（以下、「取得記事数」ともいう。）を、対応するＲＳＳサイトのＲＳＳサイト情報１２０８に関連付けて取得する。
【００６４】
さらに、ＲＳＳリーダ１２０６に登録され、かつ記憶部２２０に記憶された全てのＲＳＳデータ１２１０各々に含まれる記事情報３５００について、既読された、すなわち、ＵＲＬ３４００Ａ，３４００Ｂ，３４００Ｃ，・・・（以下、単に「ＵＲＬ３４００」ともいう。）に基づき、コンテンツ３１００Ａ，３１００Ｂ，３１００Ｃ，・・・（以下、単に「コンテンツ３１００」ともいう。）にアクセスした記事情報３５００の数（以下、「既読記事数」ともいう。）を、対応するＲＳＳサイトのＲＳＳサイト情報１２０８に関連付けて取得する。
【００６５】
続けて、選択済ＲＳＳリーダ１２０６から、上記４つの情報全てが取得できたか否かを判断する（Ｓ４０８）。取得できた場合（Ｓ４０８：Ｙｅｓ）、処理をＳ４１０に移行する一方、取得できない場合（Ｓ４０８：Ｎｏ）、この処理を終了する。
【００６６】
Ｓ４１０では、ＲＳＳサイト情報１２０８に関連付けて取得された、各ＲＳＳサイトの既読記事数を取得記事数で除して既読率を算出し、これを取得する。Ｓ４１２では、Ｓ１１６と同様に空き登録数（Ｎ個）、自動登録されたＲＳＳサイト情報２２０６の数（Ｍ個）、登録されている全ＲＳＳサイト情報２２０６の各ＲＳＳサイトのＵＲＬ、各ＲＳＳサイト情報２２０６が自動登録されたものであるか否かを示すフラグを取得する。また、ＲＳＳサイト情報２２０６に対応する各ＲＳＳサイトのＲＳＳデータ２２０８についての既読率（Ｋ）を要求し、取得する。続いて、図３と同様Ｓ１１８，Ｓ１２０を実行する。ただし、Ｓ１１８では、Ｓ４１２で取得した情報について判断する点が図３と異なる。
【００６７】
Ｓ４１８では、Ｓ１２０で特定したＲＳＳサイトのＵＲＬに対応する各ＲＳＳサイトの既読率、および、Ｓ４１２で複合機２００から取得したＲＳＳのＵＲＬ（自動登録されたことを示すフラグがＯＮにされたＲＳＳサイト情報に含まれるＲＳＳサイトのＵＲＬ）に対応する各ＲＳＳサイトの既読率（Ｋ）に基づき、既読率が高い順に、「Ｎ＋Ｍ」個のＲＳＳサイトを抽出する。続いて、図３と同様、Ｓ１２４を実行する。
【００６８】
（複合機メイン処理）
複合機メイン処理について、図８を参照して説明する。この処理は、複合機２００側において実行される処理である。例えば、ユーザが操作部２７０を介して複合機メイン処理の実行を指示した場合や、複合機２００の電源ＯＮに連動して開始される。この処理を開始した制御部２１０は、ユーザが操作部２７０を介して所定の命令を入力するまで、または、ＬＡＮ８００を介してパソコン１００から送信される所定の命令がネットワークＩ／Ｆ２８０によって受信されるまで待機する（Ｓ５００）。制御部２１０は、いずれかの命令が入力された場合、入力された命令を取得し、取得した命令について判断する（Ｓ５０２〜Ｓ５１６）。終了命令である場合（Ｓ５０２：Ｙｅｓ）、制御部２１０は、この処理を終了する。
【００６９】
終了命令ではない場合（Ｓ５０２：Ｎｏ）、パソコン１００において実行されるＲＳＳサイト情報登録処理（図３または図７参照）で送信され、ネットワークＩ／Ｆ２８０によって受信された情報送信命令であるか否かを判断する（Ｓ５０４）。情報送信命令ではない場合（Ｓ５０４：Ｎｏ）、処理をＳ５０８に移行する。一方、情報送信命令である場合（Ｓ５０４：Ｙｅｓ）、要求された各情報を、例えば、記憶部２２０と、ＲＳＳモジュール２２０４とから取得する。そして、取得した各情報を、ネットワークＩ／Ｆ２８０を制御し、要求元であるパソコン１００に送信する（Ｓ５０６）。
【００７０】
Ｓ５０８では、取得した命令が、ネットワークＩ／Ｆ２８０によって受信されたＲＳＳサイト情報登録命令ではない場合（Ｓ５０８：Ｎｏ）、処理をＳ５１２に移行する。一方、ＲＳＳサイト情報登録命令である場合（Ｓ５０４：Ｙｅｓ）、ＲＳＳサイト情報登録命令とともに受信したＲＳＳサイト情報を、起動している複合機メイン処理プログラム２２０２に自装置にＲＳＳサイト情報２２０６として登録する（Ｓ５１０）。なお、制御部２１０は、登録したＲＳＳサイト情報２２０６が、図３または図７に示すＲＳＳサイト情報登録処理に基づき自動登録されたものであることを示すフラグをＯＮにする。
【００７１】
Ｓ５１２では、取得した命令が、操作部２７０を介して入力された記事情報表示命令ではない場合（Ｓ５１２：Ｎｏ）、処理をＳ５１６に移行する。一方、記事情報表示命令である場合（Ｓ５１２：Ｙｅｓ）、後述する記事情報表示処理を実行する（Ｓ５１４）。
【００７２】
Ｓ５１６では、取得した命令が、操作部２７０を介して入力されたＲＳＳデータ取得命令ではない場合（Ｓ５１６：Ｎｏ）、処理をＳ５２０に移行する。一方、ＲＳＳデータ取得命令である場合（Ｓ５１６：Ｙｅｓ）、後述するＲＳＳデータ取得処理を実行する（Ｓ５１８）。Ｓ５２０では、取得した命令に対応する処理を実行する。なお、制御部２１０は、Ｓ５０６，Ｓ５１０，Ｓ５１４、Ｓ５１８およびＳ５２０を実行した後、処理をＳ５００に戻す。
【００７３】
（記事情報表示処理）
図８に示す複合機メイン処理のＳ５１４で実行される記事情報表示処理について、図９を参照して説明する。ユーザがＲＳＳリーダ機能の実行指示を入力した場合、制御部２１０は、この処理を開始し、このＲＳＳモジュール２２０４に登録され、記憶部２２０に記憶されたＲＳＳデータ２２０８の一覧をモニタ２６０に表示する。ユーザが、いずれか一つのＲＳＳデータ２２０８を選択した場合、制御部２１０は、選択されＲＳＳデータ２２０８に含まれるＲＳＳサイトのタイトル３０００（図２参照）、各記事情報３５００のタイトル（図２のタイトル３３００Ａ，３３００Ｂ，３３００Ｃ参照／以下、単に「タイトル３３００」ともいう。）、各記事情報３５００（図２に基づけば記事情報３５００Ａ，３５００Ｂ，３５００Ｃ）を含む情報を、モニタ２６０に表示する。
【００７４】
ユーザが、いずれか１つの記事情報３５００を選択した場合、制御部２１０は、記事情報表示命令を取得する（Ｓ５１２：Ｙｅｓ）。そして、ネットワークＩ／Ｆ２８０を制御し、記事情報表示命令の対象である記事情報３５００についてのＵＲＬ（図２のＵＲＬ３４００Ａ，３４００Ｂ，３４００Ｃ参照／以下、単に「ＵＲＬ３４００」ともいう。）にしたがい、コンテンツ提供サーバ８６０，８８０のいずれかによって公開されたＲＳＳサイトにアクセスし、記事情報表示命令の対象である記事情報３５００に対応するコンテンツ３１００を受信し、これをモニタ２６０に表示する（Ｓ６００）。例えば、ユーザが、記事情報３５００Ａを選択した場合、制御部２１０は、ネットワークＩ／Ｆ２８０を制御し、記事情報３５００ＡについてのＵＲＬ３４００Ａ（http://abcdefg.jp/diary/20090217.html）にしたがい、コンテンツ３１００Ａ（20090217.html）を受信しコンテンツ３１００Ａを、モニタ２６０に表示する。なお、制御部２１０は、Ｓ６００を実行した場合、選択され、モニタ２６０に表示されたコンテンツ３１００（コンテンツ３１００を識別可能な情報）を、ＲＳＳモジュール２２０４に登録（記憶）する。
【００７５】
続いて、今回ユーザが選択した記事情報３５００が、以前にも選択され、モニタ２６０に表示されたコンテンツ３１００であるか否かを判断する（Ｓ６０２）。なお、Ｓ６００で実行するＲＳＳモジュール２２０４への登録に基づき、Ｓ６０２の判断を実行する。以前にも同一のコンテンツ３１００がモニタ２６０に表示されていた場合（Ｓ６０２：Ｙｅｓ）、この処理を終了し、処理を図８のＳ５００に戻す。一方、選択された記事情報３５００に対応するコンテンツ３１００が今回初めてモニタ２６０に表示されたものである場合（Ｓ６０２：Ｎｏ）、処理をＳ６０４に移行する。
【００７６】
Ｓ６０４では、モジュール２２０４に登録された既読記事数（Ｋｎ）のカウント値を「１」増加させ、増加の後の既読記事数を新たな既読記事数（Ｋｎ）として、ＲＳＳモジュール２２０４に登録する。また、Ｓ６０４で取得した新たな既読記事数（Ｋｎ）およびＲＳＳモジュール２２０４に登録されている取得記事数（Ｓｎ）に基づき、既読記事数（Ｋｎ）を取得記事数（Ｓｎ）で除して、新たな既読率（Ｋ）を算出する（Ｓ６０６）。制御部２１０は、算出した既読率（Ｋ）をＲＳＳモジュール２２０４に登録する。Ｓ６０６を実行した制御部２１０は、この処理を終了し、処理を図８のＳ５００に戻す。
【００７７】
なお、この処理でＲＳＳモジュール２２０４に登録された既読率（Ｋ）は、図７に示す第２処理形態に係るＲＳＳサイト情報登録処理のＳ４１２での要求に応じて、複合機２００からパソコン１００に送信される（図８のＳ５０４参照）。
【００７８】
（ＲＳＳデータ取得処理）
図８に示す複合機メイン処理のＳ５１８で実行されるＲＳＳデータ取得処理について、図１０を参照して説明する。この処理を開始した制御部２１０は、複合機メイン処理プログラム２２０２に登録された全てのＲＳＳサイト情報２２０６に基づき、各ＲＳＳサイトからＲＳＳデータを取得したか否かを判断する（Ｓ７００）。全てのＲＳＳサイト情報２２０６に基づいた処理が終了している場合（Ｓ７００：Ｙｅｓ）、この処理を終了し、処理を図８のＳ５００に戻す。一方、全てのＲＳＳサイト情報２２０６に基づいた処理が終了していない場合（Ｓ７００：Ｎｏ）、処理をＳ７０２に移行する。
【００７９】
Ｓ７０２で制御部２１０は、未処理のＲＳＳサイト情報２２０６を１つ選択する。続けて、制御部２１０は、ネットワークＩ／Ｆ２８０を制御し、Ｓ７０２で選択したＲＳＳサイト情報２２０６のＲＳＳサイトのＵＲＬにしたがい、インターネット８４０上のコンテンツ提供サーバ８６０，８８０によって公開されているＲＳＳサイトにアクセスし、ＲＳＳデータを受信し、これを取得する（Ｓ７０４）。制御部２１０は、受信したＲＳＳデータを、ＲＳＳモジュール２２０４に登録するとともに、ＲＳＳデータ２２０８として記憶部２２０に記憶する。
【００８０】
Ｓ７０４を実行後、図６と同様の更新頻度取得処理を実行する（Ｓ７０６）。なお、この処理の実行にあたり、Ｓ７０４で記憶部２２０に記憶したＲＳＳデータ２２０８を対象として、この更新頻度取得処理を実行する。また、制御部２１０は、この更新頻度処理で算出し、取得した更新頻度（Ｚ）をＲＳＳモジュールに登録する。この処理でＲＳＳモジュール２２０４に登録された更新頻度（Ｚ）は、図３に示す第１処理形態に係るＲＳＳサイト情報登録処理のＳ１１６での要求に応じて、複合機２００からパソコン１００に送信される（図８のＳ５０４参照）。
【００８１】
Ｓ７０８で制御部２１０は、後述する既読率更新処理を実行する。Ｓ７０８を実行後、処理をＳ７００に戻し、再度、Ｓ７００の判断を実行する。すなわち、全てのＲＳＳサイト情報２２０６に基づき、各ＲＳＳサイトからＲＳＳデータを取得したと判断されるまで（Ｓ７００：Ｙｅｓ）、上述したＳ７００〜Ｓ７０８を繰り返し実行する。
【００８２】
（既読率更新処理）
図１０に示すＲＳＳデータ取得処理のＳ７０８で実行される既読率更新処理について、図１１を参照して説明する。この処理を開始した制御部２１０は、図１０のＳ７０２で選択された未処理のＲＳＳサイト情報に基づき、図１０のＳ７０４で取得され、記憶部２２０に記憶されたＲＳＳデータ２２０８に含まれる各記事情報３５００と、同一のＲＳＳサイト情報に基づき取得され、記憶部２２０に記憶されたＲＳＳデータ２２０８であって、前回実行したＳ７０４で取得したＲＳＳデータ２２０８に含まれる各記事情報３５００とを比較する（Ｓ８００）。
【００８３】
そして、新たな記事情報３５００が、今回の取得・記憶に係るＲＳＳデータ２２０８に含まれているか否かを判断する（Ｓ８０２）。含まれていない場合（Ｓ８０２：Ｎｏ）、この処理を終了し、処理を図１０のＳ７００に戻す。一方、含まれている場合（Ｓ８０２：Ｙｅｓ）、新たな記事情報３５００の個数を、ＲＳＳモジュール２２０４に登録された取得記事数（Ｓｎ）に加算する（Ｓ８０４）。加算後の取得記事数を新たな取得記事数（Ｓｎ）として、ＲＳＳモジュール２２０４に登録する。
【００８４】
また、ＲＳＳモジュール２２０４に登録されている既読記事数（Ｋｎ）と、Ｓ８０４により算出された取得記事数（Ｓｎ）に基づき、すなわち、既読記事数（Ｋｎ）をＲＳＳモジュール２２０４から読み出し、読み出した既読記事数（Ｋｎ）を取得記事数（Ｓｎ）で除して、新たな既読率（Ｋ）を算出する。算出した既読率（Ｋ）をＲＳＳモジュール２２０４に更新登録する。Ｓ８０６を実行した制御部２１０は、この処理を終了し、処理を図１０のＳ７００に戻す。
【００８５】
なお、この処理でＲＳＳモジュール２２０４に登録された既読率（Ｋ）は、図７に示す第２処理形態に係るＲＳＳサイト情報登録処理のＳ４１２での要求に応じて、複合機２００からパソコン１００に送信される（図８のＳ５０４参照）。
【００８６】
（変形例）
（１）上記では、ＲＳＳ形式の情報を例に説明したが、Ａｔｏｍ配信フォーマット（Atom Syndication Format）形式の情報であってもよい。Ａｔｏｍ配信フォーマットの場合、フィード情報は、Ａｔｏｍサーバから配信される。
【００８７】
（２）上記では、ＬＡＮ８００を介してパソコン１００とＲＳＳデバイス（複合機２００）が接続される構成を例に説明したが、他の接続形態を採用することもできる。例えば、ＵＳＢ（Universal Serial Bus）接続を採用してもよい。なお、ＲＳＳサイト情報登録処理において、ＲＳＳサイト情報の自動登録の対象デバイスとして、複合機２００を例に説明したが、これ以外の装置とすることができる。例えば、印刷装置、スキャナ装置、ファクシミリ装置その他画像形成装置とすることができる。
【００８８】
（３）上記では、ＲＳＳサイト情報１２０８，２２０６として、ＲＳＳサイトのタイトル３０００とＲＳＳサイトのＵＲＬとを含む構成を例に説明した。しかし、ＲＳＳサイト情報１２０８，２２０６は、少なくとも、ＲＳＳサイトのＵＲＬであればよく、このような構成とすることもできる。
【００８９】
（４）上記では、ユーザが、複合機２００の操作部２７０を介してＲＳＳデータ取得命令を入力した場合（図８のＳ５１６：Ｙｅｓ参照）、複合機２００の制御部２１０が、ＲＳＳデータ取得処理を実行する構成（図８のＳ５１８，図１０参照）を例に説明した。これとは異なる構成とすることもできる。例えば、複合機２００が備える計時手段（図１で図示を省略）によって所定のタイミングが掲示されたことを条件として、制御部２１０は、図１０に示すＲＳＳデータ処理を実行する構成とすることもできる。
【００９０】
（５）上記では、図８に示す複合機メイン処理の中で実行されるＲＳＳデータ取得処理（図１０参照）において、更新頻度取得処理（図１０のＳ７０６参照）および既読率更新処理（図１０のＳ７０８）を実行する構成を例に説明した。例えば、パソコン１００において第１処理にかかるＲＳＳサイト情報登録処理（図３参照）が実行される場合、ＲＳＳデータ取得処理（図１０参照）において、既読率更新処理（図１０のＳ７０８）を省略することができる。また、パソコン１００において第２処理にかかるＲＳＳサイト情報登録処理（図７参照）が実行される場合、ＲＳＳデータ取得処理（図１０参照）において、更新頻度取得処理（図１０のＳ７０６）を省略することができる。
【００９１】
（６）上記では、第１処理形態および第２処理形態に係るＲＳＳサイト情報登録処理（図３および図７参照）において、制御部１１０は、複合機２００から、空き登録数（Ｎ個）と、自動登録されたＲＳＳサイト情報２２０６の数（Ｍ個）とを取得し、これらを合計（Ｎ＋Ｍ個）した数のＲＳＳサイト情報を、複合機２００に登録する構成（図３および図７のＳ１２４参照）を例に説明した。しかし、これ以外の構成を採用することもできる。例えば、制御部１１０は、複合機２００から空き登録数（Ｎ個）を取得するとともに、ＲＳＳリーダ１２０６に登録されたＲＳＳサイト情報１２０８をＮ個抽出し、抽出したＮ個のＲＳＳサイト情報を、複合機２００に登録する構成とすることもできる。この際、更新頻度（Ｚ）の高い順にＮ個のＲＳＳサイトを抽出し（図３のＳ１２２参照）、または、既読率（Ｋ）の高い順にＮ個のＲＳＳサイトを抽出し（図３のＳ４１８参照）、このように抽出したＮ個のＲＳＳサイト各々に対応するＲＳＳサイト情報を、複合機２００に登録する構成とすることもできる。なお、複合機２００に未登録のＲＳＳサイト情報をＮ個抽出する構成を採用すると好適である（図３および図７のＳ１２０参照）。
【符号の説明】
【００９２】
１００  パソコン
１１０  制御部
１２０  記憶部
１２０４  サイト情報登録プログラム
１２０８，２２０６  ＲＳＳサイト情報
２００  複合機
８００  ＬＡＮ
８４０  インターネット
８６０，８８０  コンテンツ提供サーバ
【図１】
2010231674.tif 000003
【図２】
2010231674.tif 000004
【図３】
2010231674.tif 000005
【図４】
2010231674.tif 000006
【図５】
2010231674.tif 000007
【図６】
2010231674.tif 000008
【図７】
2010231674.tif 000009
【図８】
2010231674.tif 000010
【図９】
2010231674.tif 000011
【図１０】
2010231674.tif 000012
【図１１】
2010231674.tif 000013